(57)【要約】【課題】  遊技情報表示装置において、表示している遊技台に遊技者が着座しているかどうか、及び当該遊技台における、前記着座情報以外の遊技情報等の多種類の情報を、当該表示装置を見る遊技者にとって見やすい形で提示可能とする装置を提供する。【解決手段】  遊技場に設置した複数の各遊技台における遊技情報を表示する遊技情報表示装置３であって、当該遊技情報表示装置３のディスプレイの一つの画面に、遊技場の任意の島の少なくとも１台の遊技台６aの正面図を表示し、当該遊技台１に着座している遊技者がある場合には着座状況図６b、及び当該遊技台１に関する稼働情報６dを、前記遊技台６aの上部にそれぞれ表示する。【選択図】        図１
2008104592.tif 000002
【特許請求の範囲】
【請求項１】
遊技場に設置する遊技台に関する遊技情報を表示する遊技情報表示装置であって、当該遊技情報表示装置のディスプレイの一つの画面に、遊技場の任意の遊技島の少なくとも１台の遊技台の正面図を表示し、さらに当該正面図に、当該遊技台に遊技者が着座しているか否かの着座情報を示す図又は記号、及び前記着座情報以外の遊技情報をそれぞれ表示することを特徴とする、遊技情報表示装置。
【請求項２】
前記ディスプレイの一つの画面に表示される遊技台は、前記任意の遊技島の複数台の遊技台の正面図が横に並んで表示され、当該遊技情報表示装置のスクロール操作によって、前記任意の遊技島のすべての遊技台を前記一つの画面に表示可能であることを特徴とする、請求項１に記載の遊技情報表示装置。
【請求項３】
前記着座情報以外の遊技情報は、各遊技台に係る稼働情報であり、当該稼働情報を数値で表した数値情報であることを特徴とする、前記請求項１又は２に記載の遊技情報表示装置。
【請求項４】
前記数値情報は、当該遊技台の１営業日における総プレイ数、当該遊技台の営業開始から或いは前回入賞処理終了からのスタート回数、及び当該遊技台の１営業日における入賞回数のうちの一つ又は複数であることを特徴とする、前記請求項３に記載の遊技情報表示装置。
【請求項５】
前記稼働情報は、当該遊技台における遊技媒体の出入り状況をグラフ化したスランプグラフであることを特徴とする、前記請求項３に記載の遊技情報表示装置。
【請求項６】
前記稼働情報は、操作手段により、前記請求項３又は４の数値情報と前記スランプグラフとの表示切替えが可能であることを特徴とする、前記請求項５に記載の遊技情報表示装置。
【発明の詳細な説明】
【技術分野】
【０００１】
この発明は、遊技場の出入り口付近やその他適宜の箇所に設置し、当該遊技場の各遊技台に関する着座情報や総プレイ数、スタート回数などの稼働情報を含む遊技情報を遊技者に対して表示する遊技情報表示装置に関するものである。
【背景技術】
【０００２】
従来、遊技場に入った遊技者の便宜を図るため、遊技台に遊技者が着座しているか否かを表示するものとして、特許文献１に示すように、遊技台の群からなる遊技島の端部側から、対面している遊技台及びこの間の通路を表示する遊技情報表示装置が知られている。
【０００３】
【特許文献１】特開２００５−２０４７１９
【発明の開示】
【発明が解決しようとする課題】
【０００４】
しかしながら、上記特許文献１に示す遊技情報表示装置では、各遊技台を斜め方向から表示するものであるため、奥の遊技台の状況が分かりづらい。これは当該遊技台に遊技者が着座しているかどうかを見るときに特に問題となる。  また、上記特許文献１に示す遊技情報表示装置では、各遊技台における遊技情報は表示されておらず、当該表示装置を利用して遊技台の検索を行おうとする遊技者にとっては遊技情報の把握ができないために遊技台の選択に迷うことがあり、不便なものであった。
【０００５】
そこで、この発明は前記従来技術を考慮したものであって、遊技場内に設置する遊技情報表示装置において、表示している遊技台に遊技者が着座しているかどうか、及び当該遊技台における前記着座情報以外の遊技情報等の多種類の情報を、当該表示装置を見る遊技者にとって見やすい形で提示可能とし、以って遊技者の遊技台検索の利便性を向上させることができる遊技情報表示装置の提供を目的としたものである。
【課題を解決するための手段】
【０００６】
前記目的を達成するため、請求項１の発明は、遊技場に設置する遊技台に関する遊技情報を表示する遊技情報表示装置であって、当該遊技情報表示装置のディスプレイの一つの画面に、遊技場の任意の遊技島の少なくとも１台の遊技台の正面図を表示し、さらに当該正面図に、当該遊技台に遊技者が着座しているか否かの着座情報を示す図又は記号、及び前記着座情報以外の遊技情報をそれぞれ表示することを特徴とする、遊技情報表示装置とした。
【０００７】
また、請求項２の発明は、前記請求項１の発明において、前記ディスプレイの一つの画面に表示される遊技台は、前記任意の遊技島の複数台の遊技台の正面図が横に並んで表示され、当該遊技情報表示装置のスクロール操作によって、前記任意の遊技島のすべての遊技台を前記一つの画面に表示可能であることを特徴とする、記載の遊技情報表示装置とした。また、請求項３の発明は、前記請求項１又は２の発明において、前記着座情報以外の遊技情報は、各遊技台に係る稼働情報であり、当該稼働情報を数値で表した数値情報であることを特徴とする、遊技情報表示装置とした。
【０００８】
また、請求項４の発明は、前記請求項３の発明において、前記数値情報は、当該遊技台の１営業日における総プレイ数、当該遊技台の営業開始から或いは前回入賞処理終了からのスタート回数、及び当該遊技台の１営業日における入賞回数のうちの一つ又は複数であることを特徴とする、遊技情報表示装置とした。
【０００９】
また、請求項５の発明は、前記請求項３の発明において、前記稼働情報は、当該遊技台における遊技媒体の出入り状況をグラフ化したスランプグラフであることを特徴とする、遊技情報表示装置とした。また、請求項６の発明は、前記請求項５の発明において、前記稼働情報は、操作手段により、前記請求項３又は４の数値情報と前記スランプグラフとの表示切換えが可能であることを特徴とする、遊技情報表示装置とした。
【発明の効果】
【００１０】
請求項１〜６の各発明においては、当該遊技情報表示装置のディスプレイに、遊技者が検索したい遊技島を選んで表示した場合に、少なくとも１台の遊技台の遊技者の着座情報及び、当該遊技台の稼働情報等の多種の遊技情報を一つの画面で即座に把握することができ、遊技したい遊技台を検索する遊技者に対して、検索の利便性を提供することができる。
【００１１】
また、特に、請求項２の発明では、スクロール操作により、任意の遊技島の全部の遊技台の遊技情報を把握し、比較することができるので、遊技台の検索に極めて便利である。また、特に、請求項３及び４の発明では、当該遊技台の稼働状況を数値で表示することにより、当該遊技台の具体的な情報を得ることができ、遊技台の検索に極めて便利である。また、請求項５の発明では、スランプグラフにより、ある一定期間の、特定の遊技台への遊技媒体の出入り情況の推移が一目で把握でき、遊技台の検索に便利である。また、特に、請求項６の発明では、当該遊技台の稼働情報を前記数値情報と前記スランプグラフとに画面を切替えることができるため、遊技台の検索にさらに便利である。
【発明を実施するための最良の形態】
【００１２】
この発明は、遊技場に設置する、複数の各遊技台に関する遊技情報を表示する遊技情報表示装置であって、当該遊技情報表示装置のディスプレイの一つの画面に、遊技場の任意の遊技島の少なくとも１台の遊技台の正面図を表示し、さらに当該正面図に、当該遊技台に遊技者が着座しているか否かの着座情報を示す図又は記号、及び前記着座情報以外の遊技情報をそれぞれ表示することにより、当該遊技台の複数種の遊技情報が一目で把握でき、遊技者にとって、遊技したい遊技台の検索が容易となる。
【実施例１】
【００１３】
この発明は、図５に示すように、複数の遊技台１と、これらの各遊技台１からの情報を収集して所定の処理を行う管理コンピュータ（ホールコンピュータ）２と、当該管理コンピュータ２からの指令を受けてディスプレイに画像を表示する遊技情報表示装置３とを遊技場に設置する。なお、この実施例１では前記遊技台１は、スロットマシンを指す。
【００１４】
前記各遊技台１から稼働情報として、当該営業日における営業開始時からの総プレイ数、営業開始時からの或いは前回入賞からのスタート回数、当該営業日における入賞回数（ビッグボーナスとレギュラーボーナスに分けて）を管理コンピュータ２が収集、記憶する。この管理コンピュータ２による情報の収集は所定時間（１分や３０秒）ごとに行っても、また、常時各遊技台１からの情報を受け付けても良い。
【００１５】
また、遊技者の着座状況は、当該遊技台が稼働しているか否かで判断しても良いし、予め各遊技台に対応したイスに設けた荷重センサーからの信号を受けて判断しても良い。この様に管理コンピュータ２が収集した遊技情報等を、前記遊技情報表示装置３に送り、当該遊技情報表示装置３ではこれをディスプレイに表示する。
【００１６】
前記遊技情報表示装置３のディスプレイ３aは、初期画面では、図２に示す、遊技場のフロアマップ４を表示している。当該フロアマップ４は前記多数の遊技台からなる遊技島４aや景品交換カウンター等の設備４bの配置を平面図で示している。ここで、遊技台を検索している遊技者が、前記遊技情報表示装置３に予め設けられた操作手段、例えば、タッチパネル、マウスなどのポインティングディバイス、キーボードにより所望の遊技島４aを選択すると、図１に示す画面に遷移する。なお、図中５は適宜の画面に変換する第１のタッチキーを示す。
【００１７】
図１に示す画面６は、前記選択された遊技島４aに属する複数の遊技台６aが並んだ正面図、各遊技台６aの遊技者の着座状況図６b、機種名６c、稼働情報６d、及びその島に設置してある遊技台の数を表示した横長のバー６e（画面上では枠７に囲まれている）が表示されている。
【００１８】
ここで図１に示すように、現実の遊技台に遊技者が着座している場合には、画面上の遊技台正面図の前面に遊技者を模ったシルエットで上記着座状況図６bが表示され、また遊技者が着座していない場合は、シルエットの表示がない。また、前記管理コンピュータ２が収集した稼働情報６dは、前記遊技台６aの正面図の上部に表示されている。そして、図１では前記稼働情報６dとして、上から順に、総プレイ数、スタート回数、ビッグボーナスの入賞回数、レギュラーボーナスの入賞回数の表示及びこれらの回数が数値で表示されている。しかし、前記操作手段によって所定の操作をすると、上記数値情報の稼働情報６dをスランプグラフに切り替えることができる。図３は上記稼働情報６dをスランプグラフに切り替えた画面６である。当該スランプグラフ６fは、各遊技台における遊技媒体の一定期間の出入り状況を折れ線グラフで表示したものである。このスランプグラフ６fへの切替は、遊技台１台でも、表示されている全部の台を一斉に替えることとしてもよい。また、この遊技情報表示装置３の稼働情報６dは、前記のものに限らず、他の適宜の遊技情報を表示することができる。
【００１９】
さらに、図１に示すように、当該遊技情報表示装置３のディスプレイ３aの画面６には左右への矢印ボタン８、８が設けられており、この矢印ボタン８、８を操作することで隣の遊技台６aの表示へのスクロールを可能にし、これにより前記選択された遊技島の全ての遊技台６aが表示される。また、このスクロールは、遊技台正面図の上部に配置したバー６eを囲む枠７を移動させることによっても可能としている。この枠７の移動手段は、タッチパネルであればタッチしながら、ポインティングディバイスならドラッグしながら横にずらす、又は枠７の外側をタッチ又はクリックする。キーボードなら所定のキーを押して操作する。また、前記画面６の下部には、「スランプグラフ」表示の第２のタッチキー９、前記フロアマップ４へ遷移するための「マップ」表示の第３のタッチキー１０及び当該遊技情報表示装置３の「使い方」表示の第４のタッチキー１１が設けられている。
【００２０】
さらに、前記管理コンピュータ２が各遊技台１の情報を収集した時点で入賞している遊技台１があれば、その遊技台１を点滅や色を変えるなどして表示することもできる。このとき、ビッグボーナスとレギュラーボーナスの入賞とで、点滅の仕方や色などを変えて表示するものとしても良い。
【実施例２】
【００２１】
図４は、この発明の遊技台１をパチンコ機とした実施例２を示し、遊技情報表示装置３に表示する前記稼働情報６dは、総プレイ数、スタート回数、大当たり回数、確変（確率変動）回数となる。ここで前記スタート回数とは、遊技盤に配置したスタートチャッカーにパチンコ玉が入ったときに大当たり抽選をすべく遊技盤中央部に配置したリールが回転を始める。このリールの回転始動がスタート回数の１回としてカウントされる。そして、前記遊技情報表示装置３に表示しているスタート回数は、営業開始時から最初の大当たりまで又は確変までに何回スタートしたか、又は、前回の大当たりから又は確変の処理の終了後から何回スタートしたかの回数を表示するものである。また、前記総プレイ数とは、上記スタート回数の１営業日における合計回数を指す。
【００２２】
他の構成、作用は前記実施例１と同じである。
【００２３】
次に、図６はこの発明に係る遊技情報表示装置３の概略構成図である。なお、図で示す構成は、前記実施例１及び実施例２に共通して用いることが出来る。
図示したように、ＣＰＵ１２は、後述するハードディスク装置（ＨＤ）１３に格納されているアプリケーションプログラム、オペレーティングシステム（ＯＳ）や制御プログラム等を実行し、ＲＡＭ１４にプログラムの実行に必要な情報、ファイル等を一時的に格納する制御を行う。１５はＲＯＭであり、内部には基本Ｉ／Ｏプログラム等の各種データを記憶する。この各種データは一時的にＲＡＭ１４に記憶される。ＲＡＭ１４は、ＣＰＵ１２のメインメモリ、ワークエリア等として機能する。
【００２４】
１６は記録媒体へのアクセスを実現するための外部記憶ドライブであり、メディア（記録媒体）１７に記録されたプログラム等を本コンピュータシステムにロードすることができる。メディア１７には、フレキシブルディスク（ＦＤ）、ＣＤ−ＲＯＭ、ＣＤ−Ｒ、ＣＤ−ＲＷ、ＰＣカード、ＤＶＤ、ＩＣメモリーカード、ＭＯ、メモリスティック等が含まれる。大容量メモリとして機能するハードディスク（ＨＤ）１３には、アプリケーションプログラム、ＯＳ、制御プログラム、関連プログラム等が格納される。
【００２５】
指示入力装置１８は、キーボードやポインティングディバイス（マウス等）、タッチパネル等である。この指示入力装置１８を用いて、この発明の遊技情報表示装置３を制御するコマンド等を入力指示可能である。前記ディスプレイ３aは、指示入力装置１８から入力されたコマンドや、それに対する遊技情報表示装置３の応答出力等を表示したりするものである。前記ディスプレイ３aは、店頭や店内に設置する大型ディスプレイ、遊技台前面の液晶表示部、遊技台上部に配置する呼び出しランプや台間機に設けられた小型ディスプレイ等、前記遊技情報を表示可能なものであればよく、大型ディスプレイであれば、表示される情報は大きくかつ見易く表示されるので好ましい。これらの情報表示装置内のデータは、システムバス１９に沿って流れる。２０は外部装置とのデータのやり取りを行うインターフェイス（Ｉ／Ｆ）である。
【００２６】
前記ＨＤ１３には、予め遊技台番号と機種名情報とを関連付けて記憶させる。また、この情報とは別個に、各遊技台の稼働状況に対応した着座状況図も記憶させる。さらに前記フロアマップ４、複数の遊技台が並んだ正面図を表示した画面６も前記情報とは別個に記憶させる。これらの情報の記憶場所は前記ＨＤ１３に限られるものではなく、各種メディア１７であってもよい。
【００２７】
すなわち、図１乃至図４に示されるディスプレイ３に表示される情報は、ＨＤ１３或いは外部記憶ドライブ１６を介してメディア１７に格納される。例えば、前記フロアマップ４の画面と画面６とを切り替える場合、また、前記稼働情報６dとスランプグラフ６fの表示とを切り替える場合等は指示入力装置１８により行うことができる。
【００２８】
以上の各装置と同等の機能を実現するソフトウエアにより、ハードウエア装置の代替として構成することも出来る。
【００２９】
なお、図では説明の便宜のため、この発明に係る遊技情報表示装置を一つの装置で実現した構成について述べたが、複数の装置にリソースを分散した構成によって実現してもよい。例えば、記憶や演算のリソースを複数の装置に分散した形に構成してもよい。または、遊技情報表示装置上で仮想的に実現される構成要素ごとにリソースを分散し、並列処理を行うようにしてもよい。
【図面の簡単な説明】
【００３０】
【図１】この発明に係る実施例１におけるディスプレイ上に、隣接して並んだ複数の遊技台の正面図を表示した画面の正面図である。
【図２】この発明に係る実施例１におけるディスプレイ上に、フロアマップを表示した画面の正面図である。
【図３】この発明に係る実施例１におけるディスプレイ上に、隣接して並んだ複数の遊技台の正面図を表示した他の画面の正面図である。
【図４】この発明に係る実施例２におけるディスプレイ上に、隣接して並んだ複数の遊技台の正面図を表示した画面の正面図である。
【図５】この発明に係る実施例１における、遊技情報表示装置と遊技台及び管理コンピュータの配置を示す構成図である。
【図６】この発明に係る遊技情報表示装置の概略構成図である。
【符号の説明】
【００３１】
図中、１：遊技台、２：管理コンピュータ、３：遊技情報表示装置、
３a：ディスプレイ、４：フロアマップ、４a：遊技島、４b：設備、
５：第１のタッチキー、６：画面、６a：遊技台、６b：着座状況図、６c：機種名、６d：稼働情報、６e：バー、６f：スランプグラフ、７：枠、８：矢印ボタン、９：第２のタッチキー、１０：第３のタッチキー、１１：第４のタッチキー、１２：ＣＰＵ、１３：ハードディスク、１４：ＲＡＭ、１５：ＲＯＭ、１６：外部記憶ドライブ、１７：メディア、１８：指示入力装置、１９：システムバス、２０：インターフェイス
【図１】
2008104592.tif 000003
【図２】
2008104592.tif 000004
【図３】
2008104592.tif 000005
【図４】
2008104592.tif 000006
【図５】
2008104592.tif 000007
【図６】
2008104592.tif 000008